(57)【特許請求の範囲】
【請求項１】
電気錠装置へと鍵データを非接触通信で送信して前記電気錠装置を施解錠する端末装置と、前記端末装置へと前記鍵データを近距離無線通信で配信する鍵データ配信装置とを備えた鍵データ配信システムであって、
前記鍵データ配信装置は、前記鍵データに対応付けられたトークンを、前記鍵データ配信装置に備わる表示器に表示して、用紙に印刷して、あるいは数ｃｍ〜１ｍ程度の通信範囲を有する無線通信により前記端末装置へ送信して、前記端末装置のユーザーに提供するように構成され、
前記端末装置は、前記トークンを入力可能に構成されていて、入力した前記トークンに対応付けられた前記鍵データの配信要求を前記近距離無線通信によって前記鍵データ配信装置へと送信し、
前記鍵データ配信装置は、更に、前記端末装置から前記鍵データの配信要求を受信すると、前記鍵データと前記トークンとが対応していることを認証した場合に前記鍵データを、前記配信要求を送信した前記端末装置との一対一の通信による前記近距離無線通信によって前記端末装置へと送信することを特徴とする鍵データ配信システム。
【請求項２】
前記鍵データ配信装置は、前記トークンを二次元コードで生成することを特徴とする請求項１に記載の鍵データ配信システム。
【請求項３】
前記鍵データ配信装置は、前記電気錠装置又は当該電気錠装置の施解錠により入退場が規制される専有部の識別情報を含む前記トークンを提供することを特徴とする請求項１又は請求項２に記載の鍵データ配信システム。
【請求項４】
前記鍵データ配信装置は、前記端末装置又は当該端末装置を保有するユーザーの識別情報を含む前記トークンを提供することを特徴とする請求項１ないし請求項３の何れか１項に記載の鍵データ配信システム。
【請求項５】
前記端末装置は、前記トークンを入力する機能、前記トークンに基づいて当該トークンに対応付けられた前記鍵データの配信要求を行う機能、前記鍵データを前記鍵データ配信装置から受信する機能、及び前記鍵データを前記電気錠装置へと送信する機能を有するプログラムを記憶していて、前記プログラムを実行する制御部を備えることを特徴とする請求項１ないし請求項４の何れか１項に記載の鍵データ配信システム。
【発明の詳細な説明】
【技術分野】
【０００１】
本発明は、電気錠装置を施解錠する端末装置へと鍵データを配信する鍵データ配信システムに関する。
【背景技術】
【０００２】
従来から、ホテル等の施設では、各部屋等の専有部への入退室を規制するために、専有部のドアに電気錠装置を設けている。電気錠装置には、非接触ＩＣカード等を鍵媒体として施解錠できるように構成されたものがある。例えば、ホテルにおいて、各部屋の電気錠装置の鍵媒体を管理するシステムは、ホテルカードロックシステムとして知られている。
【０００３】
また、近年では、専有部の利用者が保有するスマートフォンやタブレット等の端末装置に鍵データを保存して、端末装置から電気錠装置に鍵データを送信することにより、電気錠装置を施解錠操作するものがある。
【０００４】
例えば、特許文献１の鍵データ要求処理システムは、鍵データが記憶されるとともに複数のサービスの利用が可能な携帯端末と、携帯端末と非接触通信して鍵データを処理する鍵データ処理装置とを備える。また、携帯端末は、未登録の鍵データ処理装置から鍵データの送信要求があると、その旨を携帯端末の所有者に通知する機能を有し、携帯端末の所有者に鍵データの送信可否の意志確認を行う。
【先行技術文献】
【特許文献】
【０００５】
【特許文献１】特開２０１４−０７１６３５号公報
【発明の概要】
【発明が解決しようとする課題】
【０００６】
鍵データ配信システムでは、鍵データを管理する鍵データ配信装置等が、数ｃｍ〜１ｍ程度の通信範囲を有するＮＦＣ（Ｎｅａｒ  Ｆｉｅｌｄ  Ｃｏｍｍｕｎｉｃａｔｉｏｎ）等の通信方式を利用して、端末装置に鍵データを配信するものがある。このような鍵データ配信システムでは、ＮＦＣに未対応のｉＰｈｏｎｅ（登録商標）等の端末装置によって、鍵データを利用することができない。そこで、鍵データ配信システムでは、数ｍ〜数十ｍ程度の通信範囲を有するＢｌｕｅｔｏｏｔｈ（登録商標）等の近距離無線通信方式によって、鍵データ配信装置等が鍵データを端末装置へと送信するものがある。しかしながら、この場合、近距離無線通信の通信範囲内に、鍵データを配信すべき端末装置以外に、鍵データを配信すべきでない他の端末が存在する場合、この他の端末にも鍵データが配信されてしまう。
【０００７】
本発明は、上記した課題を解決すべくなされたものであり、鍵データ配信の安全性を高めて、正当な端末装置のみに鍵データを配信する鍵データ配信システムを提供することを目的するものである。
【課題を解決するための手段】
【０００８】
上記した目的を達成するため、本発明は、電気錠装置へと鍵データを非接触通信で送信して前記電気錠装置を施解錠する端末装置と、前記端末装置へと前記鍵データを近距離無線通信で配信する鍵データ配信装置とを備えた鍵データ配信システムであって、前記鍵データ配信装置は、前記鍵データに対応付けられたトークンを前記端末装置又は該端末装置のユーザーに直接提供するように構成され、前記端末装置は、前記トークンを入力可能に構成されていて、入力した前記トークンに基づく前記鍵データの配信要求を前記近距離無線通信によって前記鍵データ配信装置へと送信し、前記鍵データ配信装置は、更に、前記端末装置から前記鍵データの配信要求を受信すると、前記鍵データと前記トークンとが対応していることを認証した場合に前記鍵データを前記近距離無線通信によって前記端末装置へと送信することを特徴とする。
【０００９】
この特徴を備えることにより、鍵データ配信システムは、近距離無線通信によって鍵データを鍵データ配信装置から端末装置へと配信する構成において、トークンを入力した端末装置のみに鍵データを配信することができる。また、鍵データ配信装置は、鍵データに対応付けられたトークンを端末装置又はこの端末装置のユーザーに直接提供するため、鍵データの配信を意図しない他の端末やその端末のユーザーにトークンを知られることがなく、トークンの秘匿性を高めることができる。従って、鍵データ配信装置の通信範囲内に端末装置以外の他の端末が存在する場合でも、鍵データの配信を意図する端末装置のみに鍵データを配信しつつ、鍵データの配信を意図しない他の端末への鍵データの配信を防止することができ、鍵データの配信や専有部の利用の安全性を向上することができる。
【００１０】
また、本発明に係る鍵データ配信システムにおいて、前記鍵データ配信装置は、前記トークンを二次元コードで生成することを特徴としてもよい。
【００１１】
この特徴を備えることにより、鍵データ配信システムは、トークンの秘匿性をより高めることができる。
【００１２】
また、本発明に係る鍵データ配信システムにおいて、前記鍵データ配信装置は、前記電気錠装置又は当該電気錠装置の施解錠により入退場が規制される専有部の識別情報に基づいて前記トークンを提供することを特徴としてもよい。
【００１３】
この特徴を備えることにより、鍵データ配信システムは、トークンの秘匿性を更に高めることができる。
【００１４】
また、本発明に係る鍵データ配信システムにおいて、前記鍵データ配信装置は、前記端末装置又は当該端末装置を保有するユーザーの識別情報に基づいて前記トークンを提供することを特徴としてもよい。
【００１５】
この特徴を備えることにより、鍵データ配信システムは、トークンの秘匿性を更に高めることができる。
【００１６】
また、本発明に係る鍵データ配信システムにおいて、前記端末装置は、前記トークンを入力する機能、前記トークンに基づいて当該トークンに対応付けられた前記鍵データの配信要求を行う機能、前記鍵データを前記鍵データ配信装置から受信する機能、及び前記鍵データを前記電気錠装置へと送信する機能を有するプログラムを記憶していて、前記プログラムを実行する制御部を備えることを特徴としてもよい。
【００１７】
この特徴を備えることにより、鍵データ配信システムは、端末装置の操作性を高めて、ユーザーに負担を掛けることなく、トークンの入力や鍵データの送受信を行うことができる。
【発明の効果】
【００１８】
本発明によれば、鍵データ配信の安全性を高めて、正当な端末装置のみに鍵データを配信する鍵データ配信システムを提供する。
【図面の簡単な説明】
【００１９】
【図１】本発明の一実施形態に係る鍵データ配信システムの全体構成を示すブロック図である。
【図２】本発明の一実施形態に係る鍵データ配信システムのトークンの認証に応じて鍵データを配信する動作例を示すフローチャートである。
【発明を実施するための形態】
【００２０】
本発明の一実施形態に係る鍵データ配信システムについて、添付の図面を参照しながら説明する。図１は、本発明の一実施形態に係る鍵データ配信システムの構成の概略を示すブロック図、図２は、本発明の一実施形態に係る鍵データ配信システムの動作例を示すフローチャートである。
【００２１】
本実施形態において、鍵データ配信システム１は、電気錠装置２の施解錠又は解錠に用いられる鍵データ６を配信するシステムであり、図１に示すように、鍵データ配信装置３と、端末装置４とを備える。図１では１つの端末装置４を図示したが、複数の端末装置４が備えられていてよい。
【００２２】
電気錠装置２は、ホテルの部屋等の専有部への入退室（入退場）を規制するドアを施解錠するために設けられる。例えば、複数の専有部がある場合には、専有部毎に電気錠装置２が設けられ、各電気錠装置２は固有の鍵データ６を用いて施解錠又は解錠される。
【００２３】
電気錠装置２は、ドアに取り付けられる施解錠機構１０と、Ｂｌｕｅｔｏｏｔｈ（登録商標）等の近距離無線通信によって鍵データ６を受信するリーダ１１と、リーダ１１が受信した鍵データ６を認証する制御部１２とを備える。なお、リーダ１１と制御部１２とは、一体的に構成されてよいが、別体で構成されてもよい。
【００２４】
施解錠機構１０は、例えば、デッドボルトと、デッドボルトを移動させる電動アクチュエータと、電動アクチュエータを駆動するためのモータ等の駆動部とを備える（図示せず）。デッドボルトは、ドアから突出するように移動してドア枠のストライク内に固定されることによりドアを施錠して開扉不能にし、他方、ストライクから抜脱するように移動してドア内に引き込まれることによりドアを解錠して開扉可能にする。施解錠機構１０は、制御部１２からの施錠信号又は解錠信号に基づいて、駆動部が電動アクチュエータを駆動してドアを施錠又は解錠するように構成される。
【００２５】
あるいは、施解錠機構１０は、ドアが閉扉したときには常に施錠していて、専有部の内側からは常に解錠操作可能であって、専有部の外側からは制御部１２からの解錠信号に基づいて解錠するように構成されてもよい。
【００２６】
リーダ１１は、専有部の外側でドアの近傍に設けられる。リーダ１１は、上記の近距離無線通信方式で端末装置４と非接触通信可能な受信装置であり、端末装置４から鍵データ６を受信して制御部１２へと送信する。
【００２７】
制御部１２は、ＣＰＵやメモリ等で構成されるコンピュータであり、当該電気錠装置２に固有の鍵データ（記憶鍵データ）を記憶している。記憶鍵データは、管理者によって制御部１２へと予め登録されてもよく、鍵データ配信装置３から所定のネットワークを介して制御部１２へと送信されて予め登録されてもよい。
【００２８】
また、制御部１２は、端末装置４から送信された鍵データ６（送信鍵データ）をリーダ１１から受け取ると、この送信鍵データ６が記憶鍵データに一致するかの認証を行う。そして、制御部１２は送信鍵データ６を認証した場合に、施錠信号又は解錠信号を施解錠機構１０へと送信する。
【００２９】
鍵データ配信装置３は、各電気錠装置２に固有の鍵データ６を管理及び配信するもので、例えば、ホテルの受付や、施設の管理室等に設けられる。鍵データ配信装置３は、Ｂｌｕｅｔｏｏｔｈ（登録商標）等の近距離無線通信によって端末装置４と非接触通信可能に構成され、端末装置４へと鍵データ６を送信できるように構成される。
【００３０】
例えば、鍵データ配信装置３は、ＣＰＵやメモリ等からなる制御部２０と、上記の近距離無線通信を実現する通信部２１と、鍵データ６に対応付けられたトークン７を発行するトークン発行部２２を備える。本実施形態では、トークン発行部２２が、鍵データ配信装置３に一体に設けられる構成を説明するが、トークン発行部２２は、鍵データ配信装置３とは別体の装置に設けられてもよい。
【００３１】
制御部２０は、鍵データ６を管理する機能を有していて、電気錠装置２や当該電気錠装置２が設けられる専有部の識別情報と、当該電気錠装置２に対応する鍵データ６とを関連付けてメモリに記憶している。また、制御部２０は、鍵データ６を端末装置４へと配信するときに、この鍵データ６と、当該鍵データ６を配信した端末装置４や当該端末装置４を保有するユーザーの識別情報とを関連付けてメモリに記憶してもよい。
【００３２】
更に、制御部２０は、鍵データ６の配信を制御する配信制御部２３として機能する。配信制御部２３は、鍵データ配信装置３に備わるキーボード等の操作部（図示せず）を用いた配信操作によって、配信すべき鍵データ６の配信指示を入力する。なお、配信制御部２３は、端末装置４からの無線通信によって鍵データ６の配信指示を入力してもよい。そして、配信制御部２３は、配信指示された鍵データ６を作成すると共に、この鍵データ６に関するトークン発行指示をトークン発行部２２へと送信する。トークン発行指示は、鍵データ６と対応する電気錠装置２や専有部の識別情報を含み、また、鍵データ６の配信先となる端末装置４やユーザーの識別情報を含んでもよい。
【００３３】
また、配信制御部２３は、鍵データ６の配信要求を端末装置４から受信すると、配信要求に含まれるトークン７がその鍵データ６に対応するか否かを認証する。そして、配信制御部２３は、トークン７がその鍵データ６に対応すると認証した場合に、配信要求を送信した端末装置４との一対一の通信によって鍵データ６を送信するように通信部２１を制御する。
【００３４】
通信部２１は、数ｍ〜数十ｍ程度の通信範囲を有する近距離無線通信方式に基づいて動作して、例えば、鍵データ６の配信要求を端末装置４から受信し、また、制御部２０から指示された鍵データ６を端末装置４へと送信（配信）する。更に、通信部２１は、数ｃｍ〜１ｍ程度の通信範囲を有するＮＦＣ（Ｎｅａｒ  Ｆｉｅｌｄ  Ｃｏｍｍｕｎｉｃａｔｉｏｎ）に対応した端末装置４に対しては、ＮＦＣを利用して鍵データ６を配信できるように構成されてもよい。
【００３５】
トークン発行部２２は、配信制御部２３からトークン発行指示を受けると、このトークン発行指示に基づいて、鍵データ６に対応付けられたトークン７を生成して、端末装置４や当該端末装置４を保有するユーザーへとトークン７を発行するように構成される。
【００３６】
このトークン発行部２２は、類推不可能な乱数を用いてトークン７を生成し、例えば、ＱＲコード（登録商標）等の二次元コードやバーコード等の一次元コードでトークン７を暗号化して発行してもよい。トークン発行部２２は、トークン発行指示に含まれる鍵データ６と対応する電気錠装置２や専有部の識別情報、例えば、専有部としてのホテルの部屋の部屋番号等に基づいてトークン７を生成してもよい。また、トークン発行部２２は、トークン発行指示に含まれる鍵データ６の配信先となる端末装置４やユーザーの識別情報に基づいてトークン７を生成してもよい。あるいは、トークン発行部２２は、電気錠装置２や専有部の識別情報と、端末装置４やユーザーの識別情報との組み合わせに基づいてトークン７を生成してもよい。
【００３７】
また、トークン発行部２２は、例えば、トークン７を暗号化した二次元コードや一次元コードを、鍵データ配信装置３が備える表示器２４に表示し、又は用紙に印刷することでトークン７を発行する。あるいは、トークン発行部２２は、ＮＦＣに対応した端末装置４に対しては、ＮＦＣを利用してトークン７を発行してもよい。更に、トークン発行部２２は、トークン７を示す数値、文字や記号（例えば、部屋番号等）をユーザーや端末装置４に提供してもよい。
【００３８】
端末装置４は、Ｂｌｕｅｔｏｏｔｈ（登録商標）等の近距離無線通信によって電気錠装置２や鍵データ配信装置３と非接触通信可能に構成され、鍵データ配信装置３から鍵データ６を受信する鍵データ受信機能や、電気錠装置２へと鍵データ６を送信する鍵データ送信機能を有する。例えば、端末装置４は、スマートフォンやタブレット等の携帯端末で構成される。
【００３９】
例えば、端末装置４は、ＣＰＵやメモリ等からなる制御部３０と、上記の近距離無線通信を実現する通信部３１と、鍵データ配信装置３から発行されたトークン７を入力するトークン入力部３２とを備える。
【００４０】
制御部３０は、通信部３１を制御して上記の鍵データ受信機能や鍵データ送信機能を実現するように構成される。例えば、スマートフォンやタブレット等で構成される端末装置４は、鍵データ受信機能や鍵データ送信機能を有していて受信した鍵データ６を保存可能なアプリケーションやプログラム（以下、鍵アプリ３３と称する）を制御部３０のメモリに記憶し、ＣＰＵがこの鍵アプリ３３を実行するように構成される。この鍵アプリ３３は、鍵データ配信装置３やインターネットを介して配信されていて、予めインストール可能なホテルカードロック用アプリケーションである。
【００４１】
通信部３１は、数ｍ〜数十ｍ程度の通信範囲を有する近距離無線通信方式に基づいて動作して、例えば、鍵データ６の配信要求を鍵データ配信装置３へと送信し、また、鍵データ配信装置３から鍵データ６を受信する。更に、通信部３１は、数ｃｍ〜１ｍ程度の通信範囲を有するＮＦＣ（Ｎｅａｒ  Ｆｉｅｌｄ  Ｃｏｍｍｕｎｉｃａｔｉｏｎ）に対応した端末装置４に対しては、ＮＦＣを利用して鍵データ６の配信要求の送信や鍵データ６自体の受信をできるように構成されてもよい。
【００４２】
トークン入力部３２は、鍵データ配信装置３のトークン発行部２２で発行されたトークン７を入力するように構成される。例えば、二次元コードや一次元コードのトークン７が発行される場合には、トークン入力部３２は、端末装置４に備わるＣＣＤ等の撮像部を利用して二次元コードや一次元コードで暗号化されたトークン７を読み取り、復号するように構成される。あるいは、トークン入力部３２は、トークン７が数値、文字や記号で提供される場合には、端末装置４が備えるテンキーやキーボード等の操作部によってトークン７を入力可能に構成される。
【００４３】
また、トークン入力部３２は、上記のようにして入力したトークン７に基づいて、このトークン７に対応付けられた鍵データ６の配信要求を作成する。鍵データ６の配信要求には、トークン７や、端末装置４との一対一の通信を許可するためのアドレス等の端末情報が含まれる。トークン入力部３２は、この配信要求を通信部３１によって鍵データ配信装置３へと送信させる。
【００４４】
なお、トークン入力部３２のトークン７を入力する機能や、トークン７に基づいて鍵データ６の配信要求を行う機能は、上記の鍵アプリ３３によって実行されるように構成されてもよい。
【００４５】
次に、このような構成を備えた鍵データ配信システム１において、二次元コードのトークン７の認証に応じて鍵データ６を配信する動作例について、図２のフローチャートを参照しながら説明する。
【００４６】
先ず、鍵データ配信システム１において、専有部を利用するユーザー等は、自身の保有する端末装置４を用いて、鍵アプリ３３を端末装置４に予めインストールしておく。そして、ユーザー等が、電気錠装置２で施解錠される専有部を利用するために、この電気錠装置２の鍵データ６を取得するとき、管理者等は、この鍵データ６を管理する鍵データ配信装置３を用いて、鍵データ６の配信指示を入力する（ステップＳ１）。
【００４７】
鍵データ配信装置３では、配信制御部２３によって、配信指示された鍵データ６が作成され（ステップＳ２）、更に、この鍵データ６に関するトークン発行指示がトークン発行部２２へと送信される。
【００４８】
トークン発行部２２では、トークン発行指示に応じて、鍵データ６に対応する二次元コードのトークン７が生成され、鍵データ配信装置３の表示器２４に表示されることでトークン７が発行される（ステップＳ３）。
【００４９】
一方、ユーザー等は、自身の端末装置４を用いて鍵アプリ３３を起動し、更に、鍵アプリ３３によってトークン入力部３２を実行して、表示器２４に表示された二次元コードのトークン７を読み取って入力する（ステップＳ４）。二次元コードのトークン７を読み取ったトークン入力部３２は、この二次元コードを復号してトークン７を取得し、このトークン７を含んだ鍵データ６の配信要求を、通信部３１によって近距離無線通信方式によって鍵データ配信装置３へと送信する（ステップＳ５）。
【００５０】
鍵データ配信装置３では、通信部２１によって端末装置４からの鍵データ６の配信要求が受信され、更に、配信制御部２３によって、配信要求に含まれるトークン７がその鍵データ６に対応するか否かが認証される（ステップＳ６）。そして、トークン７がその鍵データ６に対応すると認証されると、配信制御部２３によって通信部２１が制御されて、配信要求を送信した端末装置４と鍵データ配信装置３との一対一の通信が確立し、鍵データ６が近距離無線通信方式によって端末装置４へと送信される（ステップＳ７）。
【００５１】
端末装置４では、通信部３１によって鍵データ配信装置３から鍵データ６が受信されると、鍵アプリ３３がこの鍵データ６を保存し（ステップＳ８）、端末装置４と鍵データ配信装置３との通信を終了する。そして、端末装置４では、鍵アプリ３３の鍵データ送信機能を実行することで、保存している鍵データ６を電気錠装置２に送信することができ、電気錠装置２を施解錠することが可能となる。
【００５２】
上記したように、本実施形態に係る鍵データ配信システム１によれば、電気錠装置２へと鍵データ６を非接触通信で送信して電気錠装置２を施解錠する端末装置４と、端末装置４へと鍵データ６を無線で配信する鍵データ配信装置３とを備えている。そして、鍵データ配信装置３は、鍵データ６に対応付けられたトークン７を端末装置４又はこの端末装置４のユーザーに直接提供するように構成されている。端末装置４は、トークン７を入力可能に構成されていて、入力したトークン７に基づく鍵データ６の配信要求を近距離無線通信によって鍵データ配信装置３へと送信する。鍵データ配信装置３は、更に、端末装置４から鍵データ６の配信要求を受信すると、鍵データ６とトークン７とが対応していることを認証した場合に鍵データ６を近距離無線通信によって端末装置４へと送信する。
【００５３】
このような構成により、鍵データ配信システム１は、Ｂｌｕｅｔｏｏｔｈ（登録商標）等の近距離無線通信によって鍵データ６を鍵データ配信装置３から端末装置４へと配信する構成において、トークン７を入力した端末装置４のみに鍵データ６を配信することができる。また、鍵データ配信装置３は、鍵データ６に対応付けられたトークン７を端末装置４又はこの端末装置４のユーザーに直接提供するため、鍵データ６の配信を意図しない他の端末やその端末のユーザーにトークン７を知られることがなく、トークン７の秘匿性を高めることができる。従って、鍵データ配信装置３の通信範囲内に端末装置４以外の他の端末が存在する場合でも、鍵データ６の配信を意図する端末装置４のみに鍵データ６を配信しつつ、鍵データ６の配信を意図しない他の端末への鍵データ６の配信を防止することができ、鍵データ６の配信や専有部の利用の安全性を向上することができる。
【００５４】
また、本実施形態に係る鍵データ配信システム１において、鍵データ配信装置３は、トークン７を二次元コードで生成する。
【００５５】
このような構成により、鍵データ配信システム１は、トークン７の秘匿性をより高めることができる。
【００５６】
また、本実施形態に係る鍵データ配信システム１において、鍵データ配信装置３は、電気錠装置２又はこの電気錠装置２の施解錠により入退場が規制される専有部の識別情報に基づいてトークン７を提供する。
【００５７】
このような構成により、鍵データ配信システム１は、トークン７の秘匿性を更に高めることができる。
【００５８】
また、本実施形態に係る鍵データ配信システム１において、鍵データ配信装置３は、端末装置４又はこの端末装置４を保有するユーザーの識別情報に基づいてトークン７を提供する。
【００５９】
このような構成により、鍵データ配信システム１は、トークン７の秘匿性を更に高めることができる。
【００６０】
また、本実施形態に係る鍵データ配信システム１において、端末装置４は、トークン７を入力する機能、トークン７に基づいてこのトークン７に対応付けられた鍵データ６の配信要求を行う機能、鍵データ６を鍵データ配信装置３から受信する機能、及び鍵データ６を電気錠装置２へと送信する機能を有する鍵アプリ３３等のプログラムを記憶していて、このプログラムを実行する制御部３０を備える。
【００６１】
このような構成により、鍵データ配信システム１は、端末装置４の操作性を高めて、ユーザーに負担を掛けることなく、トークン７の入力や鍵データ６の送受信を行うことができる。
【００６２】
また、上記した本発明の各実施の形態の説明は、本発明に係る鍵データ配信システムにおける好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００６３】
１  鍵データ配信システム
２  電気錠装置
３  鍵データ配信装置
４  端末装置
６  鍵データ
７  トークン
１０  施解錠機構
１１  リーダ
１２  制御部
２０  制御部
２１  通信部
２２  トークン発行部
２３  配信制御部
２４  表示器
３０  制御部
３１  通信部
３２  トークン入力部
３３  鍵アプリ
【図１】
0006763681.tif 000002
【図２】
0006763681.tif 000003